(57)【要約】【課題】座り心地を向上させた木製の折り畳み式椅子を提供する。【解決手段】椅子は、座１とその左右に配置した前後の脚２，３とを備えており、前後の脚２，３は、座１よりも高い位置を支点にして相対回動し得るように連結されている。座板１４は、その下面にセンターブラケット２１を介して取り付けた支軸２２により、前脚２に回動可能に連結されている。座１は、抜き穴１７が空いた座板１４と、その上面に張られた弾性サポート材１８及びクッション体１５を備えている。クッション体１５によるフィット作用と、弾性サポート材１８による弾性支持作用とにより、着座者に快適な座り心地を提供できる。抜き穴１７の下方に支軸２２が配置されているが、弾性サポート材１８が伸び変形しても支軸２２には当たらない。従って、着座者が違和感を持つことはない。【選択図】図５
2020179028.tif 000002
【特許請求の範囲】
【請求項１】
座とその左右両側に配置された一対の前脚及び後ろ脚を有していて、
前記前後の脚は、前記座よりも高い位置を回動軸心として前後方向に相対回動し得るように連結されている一方、
前記座は、前記前脚及び後ろ脚に対して、左右長手の軸心回りに相対回動し得るように連結されており、前記座と後ろ脚との連結位置を移動可能とすることにより、前記座をその前端が上になるように跳ね上げ回動させるとこれに連動して前記前後の脚が折り畳まれる構成であって、
前記座は、着座者の臀部の下方に抜き穴が開口した枠状の座板を備えており、前記座板の上面に、着座者の荷重で弾性変形可能な弾性サポート材が前記抜き穴を覆った状態で配置されている一方、
前記座の下面部に、当該座を前記前脚に連結する左右長手の支軸が、前記抜き穴の下方に位置するように配置されている、
折り畳み式椅子。
【請求項２】
前記支軸を、前記座板の左右側部の下面に突設したブラケットに取り付けることにより、前記支軸と弾性サポート材との間に、前記弾性サポート材が前記支軸に当たることなく伸び変形することを許容する間隔が空いている、
請求項１に記載した折り畳み式椅子。
【請求項３】
前記座板の上面には、前記弾性サポート材を覆うようにクッション体が張られている、
請求項１又は２に記載した折り畳み式椅子。
【請求項４】
前記前脚には、前記支軸の端部を後ろから嵌め込みできる切り欠き溝が形成されている一方、
前記後ろ脚の内側面に、当該後ろ脚と前記座との連結位置を移動させるための上下長手のガイド溝が形成されており、前記座板の後部下面に、前記ガイド溝に移動自在に嵌まったスライダーを有するブラケットがビスで固定されている、
請求項１〜３のうちのいずれかに記載した折り畳み式椅子。
【請求項５】
前記前脚は、上方に行くに従って後ろにずれるように後傾しており、前記前脚の上端部に肘当てが一体に形成されている、
請求項１〜４のうちのいずれかに記載した折り畳み式椅子。
【請求項６】
前記左右の前脚の上部に固定された背もたれ板を備えており、前記背もたれ板は、平面視で後ろ向きに膨れるように湾曲しつつ左右両端に前向き部が形成されていて略Ｕ形になっている一方、
前記前脚の上部内側面に、前記背もたれ板の前向き部が嵌め込まれる切り欠き部を形成しており、前記背もたれ板の前向き部が前記切り欠き部に固定されている、
請求項１〜５のうちのいずれかに記載した折り畳み式椅子。
【発明の詳細な説明】
【技術分野】
【０００１】
本願発明は折り畳み式椅子に関するものであり、特に、木製の折り畳み式椅子を好適な対象にしている。
【背景技術】
【０００２】
木製の折り畳み式椅子として、前脚と後ろ脚とを側面視で人字形に連結したタイプがあり、このタイプでは、前後の脚は正面視で重なる状態に配置できるため、デザインの自由性が高い利点がある。
【０００３】
そして、前後の脚を人字形に連結したタイプでは、座は、前脚に対しては跳ね上げ回動可能に連結されて、後ろ脚に対しては、回動可能でかつスライド可能に連結されており、これにより、座の跳ね上げ回動に連動して前後脚が折り畳まれるようになっている。そして、座を後ろ脚に対して回動可能でかつスライド可能に連結する手段としては、連結位置を移動させるためのガイド溝が必要であるが、このガイド溝は、特許文献１に開示されているように後ろ脚に形成されているタイプと、特許文献２に開示されているように座の左右外側面に形成されているタイプとがある。
【先行技術文献】
【特許文献】
【０００４】
【特許文献１】実開昭５８−１４９９５０号のマイクロフィルム
【特許文献２】実開平０６−８４９４７号のＣＤ−ＲＯＭ
【発明の概要】
【発明が解決しようとする課題】
【０００５】
木製の折り畳み式椅子において、座は、座板のみで構成されている場合と、座板の上面にクッション体が張られている場合とがあるが、座板のみの構造では座面が硬くて座り心地が悪いという問題がある。他方、クッション体を設けると、座板のみの場合に比べると座り心地は改善できるが、クッション体は使用しているといわゆるヘタリ現象が生じて弾性が低下するため、長期に亙って高い座り心地を維持し難いことも多い。
【０００６】
また、近年、様々な製品について、部材を複数のユニットとして別々の場所で製造して組み立て工場で完成品と成すノックダウン方式が広がっており、折り畳み式椅子についても、例えば座と脚装置とを別々に製造して組み立てできるとコストを削減できるが、特許文献１，２とも組み立ての容易性に注意が払われておらず、ノックダウン方式に適用できるとは言い難い。
【０００７】
また、折り畳み式椅子においても肘当てがあると着座者の快適性を大幅に向上できるが、特許文献１，２とも肘当てを設けるという思想は看取し難い。更に、特許文献１，２とも背もたれ板を備えているが、背もたれ板は、その左右端面を前脚の内側面に当接させた状態で前脚に固定しているため、背もたれ板による着座者のホールド性は殆どなくて、着座者の安楽性向上は期待できないといえる。更に，背もたれ板と前脚との接合面積は小さいため、高い固定強度を確保し難い場合もあるといえる。
【０００８】
本願発明は、このような現状を改善すべく成されたものである。 
【課題を解決するための手段】
【０００９】
本願発明の折り畳み式椅子は、
「座とその左右両側に配置された一対の前脚及び後ろ脚を有していて、
前記前後の脚は、前記座よりも高い位置を回動軸心として前後方向に相対回動し得るように連結されている一方、
前記座は、前記前脚及び後ろ脚に対して、左右長手の軸心回りに相対回動し得るように連結されており、前記座と後ろ脚との連結位置を移動可能とすることにより、前記座をその前端が上になるように跳ね上げ回動させるとこれに連動して前記前後の脚が折り畳まれる」
という基本構成になっている。
【００１０】
そして、請求項１の発明は、上記基本構成において、
「前記座は、着座者の臀部の下方に抜き穴が開口した枠状の座板を備えており、前記座板の上面に、着座者の荷重で弾性変形可能な弾性サポート材が前記抜き穴を覆った状態で配置されている一方、
前記座の下面部に、当該座を前記前脚に連結する左右長手の支軸が、前記抜き穴の下方に位置するように配置されている」
という構成が付加されている。
【００１１】
本願発明は、様々に展開できる。その例を請求項２以下に例示している。このうち請求項２の発明は、請求項１において、
「前記支軸を、前記座板の左右側部の下面に突設したブラケットに取り付けることにより、前記支軸と弾性サポート材との間に、前記弾性サポート材が前記支軸に当たることなく伸び変形することを許容する間隔が空いている」
という構成になっている。
【００１２】
請求項３の発明は、請求項１又は２において、
「前記座板の上面には、前記弾性サポート材を覆うようにクッション体が張られている」
という構成になっている。
【００１３】
請求項４の発明は、請求項１〜３のうちのいずれかにおいて、
「前記前脚には、前記支軸の端部を後ろから嵌め込みできる切り欠き溝が形成されている一方、
前記後ろ脚の内側面に、当該後ろ脚と前記座との連結位置を移動させるための上下長手のガイド溝が形成されており、前記座板の後部下面に、前記ガイド溝に移動自在に嵌まったスライダーを有するブラケットがビスで固定されている」
という構成になっている。請求項４の発明は請求項１等に従属させているが、独立した発明たり得る。
【００１４】
請求項５の発明は、請求項１〜４のうちのいずれかにおいて、
「前記前脚は、上方に行くに従って後ろにずれるように後傾しており、前記前脚の上端部に肘当てが一体に形成されている」
という構成になっている。請求項５の発明も独立した発明たり得る。
【００１５】
請求項６の発明は、請求項１〜５のうちのいずれかにおいて、
「前記左右の前脚の上部に固定された背もたれ板を備えており、前記背もたれ板は、平面視で後ろ向きに膨れるように湾曲しつつ左右両端に前向き部が形成されていて略Ｕ形になっている一方、
前記前脚の上部内側面に、前記背もたれ板の前向き部が嵌め込まれる切り欠き部を形成しており、前記背もたれ板の前向き部が前記切り欠き部に固定されている」
という構成になっている。請求項６の発明も、独立した発明たり得る。 
【発明の効果】
【００１６】
本願発明では、座板は枠状になっていてこれに弾性サポート材が張られているため、高いクッション性を長期に亙って維持できる。また、着座者の荷重は抜き穴の箇所に強く作用するが、支軸は抜き穴の下方に配置されているため、座を安定的に支持できる。
【００１７】
そして、伸び変形した弾性サポート材が支軸に当たると着座者に違和感を与えるおそれがあるが、請求項２の構成を採用すると、座と支軸との間には、弾性サポート材の十分な伸びを許容するように間隔が空いているため、使用者に違和感を与えることはない。従って、クッション性が高く使用感に優れた高品質を保持できる。
【００１８】
なお、設定以上の荷重が弾性サポート材に掛かって弾性サポート材が許容限度以上に伸びたり、保証値以上の過酷な使用が成されて弾性サポート材が破れたりすることも想定されるが、これらの場合は、着座者の臀部は支軸で支持されるため、着座者の臀部が沈み過ぎることを防止できる。従って、支軸を非常時の安全部材として機能させることができる。
【００１９】
請求項３のようにクッション体を設けると、クッション体と弾性サポート材とのダブル効果によって座り心地を更に向上できる。すなわち、クッション体は着座者の押圧力に応じて変形して着座者の身体にフィットする利点があるため、請求項３の発明は、フィット性とクッション体とを併有して快適な使用感を得ることができる。また、クッション体の弾性復元力が低下しても、弾性サポート材によって弾性が保持されているため、快適性を長期に亙って維持できる。
【００２０】
弾性サポート材としては、例えば、多数のスリットが形成された合成樹脂板を使用することも可能であるが、実施形態のように編地又は織地のような布帛を使用すると、市販品を必要な大きさに裁断して使用できるため、コストを抑制できる利点がある。また、座板への固定も、タッカー等を使用して簡単に行える。
【００２１】
請求項４の発明では、座に支軸を予め取り付けておいてから、前脚の切り欠き溝に後ろから嵌め込んで、前脚に外輪から挿通したボルト（ビス）を支軸にねじ込むことにより、支軸を前脚に固定（連結）できる。従って、左右一対ずつの前脚及び後ろ脚を有する脚装置を予め組み立てた状態で、座を前脚に連結できる。また、座の後端部は、ブラケットを介して後ろ脚に連結されているため、脚装置を組み立てた状態でも、座板を後ろ脚に連結できる。
【００２２】
従って、請求項４の発明では、脚装置と座板とを別々の場所で半製品としてユニット化された状態に製造してから組み立てるノックダウン方式を採用できる。これにより、コストダウンを実現できる。
【００２３】
折り畳み式椅子は簡易性を優先した構造になっており、使い心地への注意は必ずしも十分でなかったと云えるが、請求項５のように前脚に肘当てを設けると、折り畳み式椅子でありながら安楽性を高めて椅子の価値を大幅に向上できる。また、肘当ては前脚に一体に形成されているため、デザイン的にもスッキリさせることができる。この面でも、椅子の価値を向上できる。
【００２４】
更に、請求項６の発明を採用すると、背もたれ板は平面視Ｕ形になっているため、着座者の上半身のホールド性が向上して、着座者の安楽性を向上できる。また、背もたれ板の前向き部を広い面積に亙って前脚に重ね固定できるため、背もたれ板を前脚に対して簡単かつ強固に固定できる。
【００２５】
また、背もたれ板の前向き部は前脚に形成された切り欠き部に収まっていて、背もたれ板の前向き部が前脚の内側面から出っ張ることを防止できるため、例えば着座者の肘を前脚の内側面に沿って上下動させても、肘が前脚の前向き部の下面又は上面に当たるようなことはなくて、使用感に優れている。更に、目障りな段差はないため、美観においても優れている。 
【図面の簡単な説明】
【００２６】
【図１】実施形態を示す図で、（Ａ）は前から見た斜視図、（Ｂ）は後ろから見た斜視図、（Ｃ）は側面図である。
【図２】（Ａ）は下方から見た斜視図、（Ｂ）は折り畳んだ状態を前から見た斜視図、（Ｂ）は折り畳んだ状態を後ろから見た斜視図である。
【図３】（Ａ）は平面図、（Ｂ）は正面図、（Ｃ）は折り畳んだ状態の側面図である。
【図４】（Ａ）は分離斜視図、（Ｂ）は一部の破断分離斜視図である。
【図５】椅子の縦断側面図、（Ｂ）は（Ａ）の部分拡大図である。
【発明を実施するための形態】
【００２７】
(1).椅子の概略
次に、本願発明の実施形態を図面に基づいて説明する。まず、概要を説明する。図１に示すように、椅子は、平面視略四角形の座１と、その左右両側に配置した一対ずつ前脚２及び後ろ脚３とを備えており、左右の前脚２は、その下部が板状のフロントジョイント材４によって連結されて、上端部は背もたれ板５によって連結されている。他方、左右の後ろ脚３は、その下部が板状のリアジョイント材６によって連結されている。
【００２８】
前脚２と後ろ脚３とは、座１よりもやや高い位置に設けた継手金具７を介して、前後回動自在に連結されている。すなわち、継手金具７は前脚２の背面に形成したスリットに嵌め込まれていて、ビス（図示せず）によって前脚２に固定されている。そして、継手金具７の先端部は、後ろ脚３の上端部に形成したスリットに嵌め込まれていて、左右長手のボルト８（図１（Ｂ）参照）によって、後ろ脚３に連結されている。従って、前脚２と後ろ脚３とは、ボルト８を支点にして相対回動する。
【００２９】
後ろ脚３の下端部には、側面視半円状の突起９を設けている。図３（Ｃ）に示すように、突起９が前脚２に当たることにより、折り畳んだ状態で前脚２と後ろ脚３とは平行な姿勢に保持される。
【００３０】
前脚２、後ろ脚３、背もたれ板５、ジョイント材４，６は木製である。前脚２及び後ろ脚３は概ね角棒状の形態であり、前脚２の上端部を前傾部２ａと成して、前傾部２ａの上端に水平状の肘当て１０を一体に形成している。前傾部２ａと肘当て１０とを備えた前脚２は、角材を曲げ加工して形成することも可能であるし、板材の削り出しによって形成することも可能である。
【００３１】
背もたれ板５は、平面視で後ろに膨れた（後ろ向き凸状になった）形態であり、左右両端に、上下幅を狭くした前向き部５ａが形成されている。そして、前脚２の前傾部２ａ及び肘当て１０の内側面に切り欠き部１１を形成して、この切り欠き部１１に背もたれ板５の前向き部５ａを嵌め込んで、ビス１２（図１（Ａ），図５参照）で固定している。なお、前脚２の前傾部２ａ及び肘当て１０には、ビス１２がねじ込まれる鬼目ナットを埋設している。
【００３２】
(2).座の構造
図２（Ａ）（Ｂ）や図５に示すように、座１は、木製の座板１４とその上面に重ねたクッション体１５とを備えており、クッション体１５は、クロス等の表皮材１６で上から覆われている。なお、クッション体１５は、発泡ポリウレタン等の発泡樹脂材が使用されている。
【００３３】
座板１４は、当該座板１４の外形と相似形の大きな抜き穴１７が空いていて枠状に形成されており、上面に、編地又は織地のような布帛（メッシュ材）から成る弾性サポート材１８が張られている。弾性サポート材１８には、合成樹脂製の弾性糸が使用されており、柔軟でかつ着座者の荷重を支え得る強靱性を備えている。
【００３４】
図５（Ｂ）に示すように、座板１４の上面に環状溝１９を形成しており、クッション体１５を覆う表皮材１６の周縁部は、環状溝１９の底面にタッカーで固定されており、更に、環状溝１９には、チューブ状の押さえ具２０が圧入されている。従って、環状溝１９は殆ど見えない状態になっていて、美観に優れている。弾性サポート材１８の外周縁は環状溝１９には至っておらず、外周縁部がタッカーで座板１４に固定されている。
【００３５】
例えば図５（Ａ）のとおり、座板１４の左右両側部の下面にセンターブラケット２１がビスで固定されており、センターブラケット２１に金属パイプ製の支軸２２が挿通されている一方、図４（Ｂ）に明示するように、前脚２に、支軸２２の端部を後ろから嵌め込みできる切り欠き溝２３が形成されており、切り欠き溝２３に嵌め入れた支軸２２に対して、外側からボルト２４がねじ込まれている。従って、支軸２２は、左右の前脚２に対して回転不能に固定されている。支軸２２は、概ねの抜き穴１７の前後中間部の下方に位置している。
【００３６】
この場合、前脚２は後傾姿勢に傾斜しているが、切り欠き溝２３は水平状に形成している。従って、支軸２２を安定的に支持できる。すなわち、切り欠き溝２３か前脚２の軸心に対して側面視で直交していると、切り欠き溝２３は後傾姿勢になるため、支軸２２に作用した下向きの荷重Ｆに後ろ向きの分力が発生するが、本実施形態のように切り欠き溝２３を水平姿勢に形成すると、下向きの荷重Ｆに後ろ向きの分力は発生せず、荷重Ｆを切り欠き溝２３の下面で安定的に支持できる。
【００３７】
従って、支軸２２の取り付けの容易性を損なうことなく、前脚２による座１の支持強度に優れている。なお、切り欠き溝２３は、後ろに向けて高くなるように、若干の角度で後傾させてもよい。
【００３８】
センターブラケット２１は木製でもよいし、合成樹脂製又は金属製でもよい。支軸２２とセンターブラケット２１とは相対回転するため、センターブラケット２１を木製とする場合でも、磨耗防止のために樹脂製のスリーブを嵌着するのが好ましい。
【００３９】
例えば図４に示すように、後ろ脚３の内側面に上下長手のガイド溝２５が形成されている一方、座板１４の下面のうち左右端部にはリアブラケット２６がそれぞれビス２７で固定されており、リアブラケット２６に設けた起立片２６ａに、ガイド溝２５にスライド自在に嵌まるコロ２８が取り付けられている。なお、コロ２８に代えて、樹脂製等のスライダを使用することも可能である。ガイド溝２５は、金属製又は樹脂製のチャンネル材で構成されている。
【００４０】
(3).座を中心としたまとめ
座１をその前端が上になるように跳ね上げ回動させると、コロ２８がガイド溝２５に沿って下方に移動する。すると、後ろ脚３が前脚２に向けて押されるため、前脚２と後ろ脚３とは平行な姿勢に相対回動する。従って、椅子は折り畳まれる。
【００４１】
クッション体１５は着座者の臀部の形状に倣うように変形するが、座板１４には抜き穴１７が空いているため、着座者の押圧力が作用すると、クッション体１５は、着座者の臀部にフィットしつつ、弾性サポート材１８を伸び変形させて下方に沈み込む。従って、高いフィットとクッション性とを確保できる。このため、折り畳み式の椅子でありながら、快適な座り心地を得ることができる。
【００４２】
弾性サポート材１８は、着座者の荷重によって伸び変形するが、一般成人を使用者と想定して、例えば、座板１４の下面程度までの伸びるように設定している。他方、支軸２２はセンターブラケット２１に取り付けられているため、支軸２２と座板１４との間には若干の間隔が空いている。従って、通常の使用状態では、弾性サポート材１８が伸び変形しても支軸２２に当たることはない。従って、着座者に違和感を与えることなく、快適な使用状態を維持できる。
【００４３】
本実施形態の椅子は、脚２，３と背もたれ板５とジョイント材４，６とから成る脚装置は１つのユニットとして組み立てられており、この脚装置に座板１４を取り付けて完成品になる。すなわち、座１と脚装置とは別々の場所で組み立てられており、これらを組み立て工場で完成品と成すノックダウン方式が採られている。
【００４４】
そして、支軸２２は前脚２の切り欠き溝２３に後ろから嵌め込むものであるため、支軸２２が予め座１に取り付けられていて、脚装置は予め組み立てられてユニット化されていても、前脚２に対する座板１４の取り付けを簡単に行える。また、座板１４の後端部はリアブラケット２６介して後ろ脚３に取り付けられているため、コロ２８をガイド溝２５に嵌め入れてからリアブラケット２６をビス２７で座板１４に固定するという手順により、ユニット化された脚装置の後ろ脚３に対して座板１４を簡単に取り付けできる。
【００４５】
(4).肘当てと背もたれ板とに関するまとめ
本実施形態では前脚２に肘当て１０が形成されているため、折り畳み式椅子でありながらユーザーフレンドリーで高い品質を確保できる。また、背もたれ板５は、その前向き部５ａが前脚２の内側面に固定されているため、背もたれ板５を、前脚２に対して簡単かつ強固に固定できる。
【００４６】
また、背もたれ板５は、図３（Ａ）に示すように、前向き部５ａを有していて平面視Ｕ形になっているため、着座者の身体のホールド性に優れている。すなわち、背もたれ板５は平面視でＵ形に大きく曲がっていると、着座者が上半身を左右動させても、胴体部が背もたれ板５に当たるため、着座者の胴体部が背もたれ板５で深く包まれた状態になって、着座者の快適性を向上できる。
【００４７】
そして、前脚２に前傾部２ａと肘当て１０とを設けているため、背もたれ板５の前向き部５ａを設けた場合でありながら、前向き部５ａを前脚２に固定することができる。従って、本実施形態では、背もたれ板５をＵ形に曲げて着座者のホールド性を向上させることが、前脚２に前傾部２ａと肘当て１０を設けたことによって容易に実現されている。
【００４８】
さて、背もたれ板５の前向き部５ａの上面と肘当て１０の上面とを同一面に設定して、背もたれ板５の前向き部５ａの前面と前傾部２ａの前面とを同一面に設定することは好ましいが、現実には、部材の加工誤差を無くすことはできないため、僅かながら段差が現れることは回避し難い。そして、段差が部分的に発生していると、段差の寸法は極僅かであっても目に付いて製造不良であるかのような違和感を与えてしまうことがある。
【００４９】
そこで、本実施形態では、例えば図１（Ｃ）に示すように、背もたれ板５の前向き部５ａの上面は、僅かながら肘当て１０の上方にはみ出させて、背もたれ板５の前向き部５ａの前面は、僅かながら前傾部２ａの前方にはみ出させている。すなわち、背もたれ板５の前向き部５ａの上面及び前面を、肘当て１０及び前傾部２ａに対して積極的に段上がりさせている。
【００５０】
このように、背もたれ板５の前向き部５ａの上面及び前面の全体を肘当て１０及び前傾部２ａに対して段上がりさせると、デザイン的な統一は成されているため人に違和感を与えることはないと共に、部材の加工に際して多少の寸法誤差があっても、誤差は段部に吸収されて目立つことはない。従って、部材の加工誤差は許容しつつ、人に違和感を与えない高い品質を保持できる。
【００５１】
以上、本願発明の実施形態を説明したが、本願発明は他にも様々に具体化できる。例えば、座は、クッション体を備えずに弾性サポート材を露出させた構造であってもよい。また、布帛性の弾性サポート材を使用する場合、弾性サポート材を座板の外周から下面に巻き込むと共に、クッション体を覆う表皮材の周縁部も座板の下面に巻き込んで、表皮材の周縁部で弾性サポート材の周縁部を覆うことも可能である。
【００５２】
また、実施形態では前脚２が後ろ脚３よりも高くなっているが、後ろ脚３を前脚２よりも高くして、後ろ脚３の上端に肘当てを設けることも可能である。この場合も、背もたれ板５の前向き部５ａを後ろ脚３の上端部及び肘当て１０の内面に嵌め込み固定すると好適である。
【００５３】
背もたれ板に、人が手先を挿入できる左右長手の穴を空けてもよい。この場合は、人は背もたれ板を掴んで移動させたり持ち上げたりすることができる。また、背もたれ板の前面にクッション体を張ることも可能である。
【産業上の利用可能性】
【００５４】
本願発明は、木製等の折り畳み式椅子に具体化できる。従って、産業上利用できる。
【符号の説明】
【００５５】
１  座
２  前脚
２ａ  前傾部
３  後ろ脚
５  背もたれ板
５ａ  前向き部
７  継手金具
１０  肘当て
１４  座板
１５  クッション体
１６  表皮材
１７  抜き穴
１８  弾性サポート材
１９  環状溝
２０  押さえ具
２１  センターブラケット
２２  支軸
２３  切り欠き溝
２５  ガイド溝
２６  リアブラケット
２８  コロ（スライダー）
【図１】
2020179028.tif 000003
【図２】
2020179028.tif 000004
【図３】
2020179028.tif 000005
【図４】
2020179028.tif 000006
【図５】
2020179028.tif 000007